(57)【特許請求の範囲】
【請求項１】
画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて入力されると共に、当該入力された各色別の読み取り画像データについて有彩色であるか、無彩色であるかを当該ＲＧＢ版情報に基づいて判定するカラー／モノクロ判定機能を有する画像処理手段を備えた画像処理装置において、
前記画像処理手段は、前記Ｋ版情報より前記３原色が同一濃度となる無彩色データを生成して前記カラー／モノクロ判定機能に供し、且つ当該カラー／モノクロ判定機能によるカラー／モノクロ判定として、前記原稿から読み込んだページの前記読み取り画像データが前記モノクロ画像であれば、前記無彩色データを記憶手段に蓄積して保持すると共に、読み込んだ前記ＲＧＢ版情報を破棄し、当該モノクロ画像でなく前記カラー画像であれば、読み込んだ当該ＲＧＢ版情報を当該記憶手段に蓄積して保持すると共に、当該無彩色データを破棄する入力画像処理手段を備えたことを特徴とする画像処理装置。
【請求項２】
画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて入力されると共に、当該入力された各色別の読み取り画像データについて有彩色であるか、無彩色であるかを当該ＲＧＢ版情報に基づいて画素毎に判定するカラー／モノクロ判定機能を有する画像処理手段を備えた画像処理装置において、
前記画像処理手段は、前記カラー／モノクロ判定機能による画素毎のカラー／モノクロ判定として、前記原稿から読み込んだ画素毎の前記読み取り画像データがモノクロ画素であれば、前記Ｋ版情報の画素濃度より前記３原色が同一濃度となる無彩色データを生成して前記ＲＧＢ版情報を置き換えるようにして全画素について判定済み後、当該ＲＧＢ版情報を記憶手段に蓄積して保持する入力画像処理手段を備えたことを特徴とする画像処理装置。
【請求項３】
請求項２記載の画像処理装置において、
前記入力画像処理手段は、前記画素毎のカラー／モノクロ判定の結果について、前記ＲＧＢ版情報が有彩色であるか無彩色であるかを示す色情報フラグを各画素毎に付加すると共に、ＲＧＢ画素情報と当該ＲＧＢ画素情報が色情報を含むか否かを示す当該色情報フラグとにより１画素データを生成することを特徴とする画像処理装置。
【請求項４】
請求項３記載の画像処理装置において、
前記１画素データに含まれる前記ＲＧＢ画素情報に対する画素数カウント機能を持つ出力画像処理手段を備え、前記入力画像処理手段は、前記ＲＧＢ画素情報と前記色情報フラグとを分離して当該色情報フラグより前記画素毎のカラー／モノクロ判定として、前記画素毎の前記読み取り画像データが有彩色画素であるときに前記画素数カウント機能による画素数カウントに供するようにして全画素について判定済み後、有彩色画素数情報を通知する機能を持つことを特徴とする画像処理装置。
【請求項５】
請求項２記載の画像処理装置において、
前記入力画像処理手段は、画像編集時に前記画素毎の前記読み取り画像データから１画素データとして、前記ＲＧＢ版情報のビット数に前記Ｋ版情報のビット数を加えることにより当該Ｋ版情報を付加して画素順次画像に変換することを特徴とする画像処理装置。
【請求項６】
画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて画像処理装置に入力された際、当該入力された各色別の読み取り画像データについて有彩色であるか、無彩色であるかを当該ＲＧＢ版情報に基づいて判定するカラー／モノクロ判定を含む読み取り画像処理方法において、
前記Ｋ版情報より前記３原色が同一濃度となる無彩色データを生成して前記カラー／モノクロ判定に供し、当該カラー／モノクロ判定として、前記原稿から読み込んだページの前記読み取り画像データが前記モノクロ画像であれば、前記無彩色データを記憶手段に蓄積して保持すると共に、読み込んだ前記ＲＧＢ版情報を破棄し、当該モノクロ画像でなく前記カラー画像であれば、読み込んだ当該ＲＧＢ版情報を当該記憶手段に蓄積して保持すると共に、当該無彩色データを破棄する入力画像処理を行うことを特徴とする読み取り画像処理方法。
【請求項７】
画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて画像処理装置に入力された際、当該入力された各色別の読み取り画像データについて有彩色であるか、無彩色であるかを当該ＲＧＢ版情報に基づいて画素毎に判定するカラー／モノクロ判定を行う読み取り画像処理方法において、
前記画素毎のカラー／モノクロ判定として、前記原稿から読み込んだ画素毎の前記読み取り画像データがモノクロ画素であれば、前記Ｋ版情報の画素濃度より前記３原色が同一濃度となる無彩色データを生成して前記ＲＧＢ版情報を置き換えるようにして全画素について判定済み後、当該ＲＧＢ版情報を記憶手段に蓄積して保持する入力画像処理を行うことを特徴とする読み取り画像処理方法。
【請求項８】
請求項７記載の読み取り画像処理方法において、
前記画素毎のカラー／モノクロ判定の結果について、前記ＲＧＢ版情報が有彩色であるか無彩色であるかを示す色情報フラグを各画素毎に付加すると共に、ＲＧＢ画素情報と当該ＲＧＢ画素情報が色情報を含むか否かを示す当該色情報フラグとにより１画素データを生成し、前記入力画像処理では、前記ＲＧＢ画素情報と前記色情報フラグとを分離して当該色情報フラグより前記画素毎のカラー／モノクロ判定として、前記画素毎の前記読み取り画像データが有彩色画素であるときに画素数カウントに供するようにして全画素について判定済み後、有彩色画素数情報を通知するか、或いは前記入力画像処理では、画像編集時に画素毎の読み取り画像データから１画素データとして、前記ＲＧＢ版情報のビット数に前記Ｋ版情報のビット数を加えることにより当該Ｋ版情報を付加して画素順次画像に変換することを特徴とする読み取り画像処理方法。
【発明の詳細な説明】
【技術分野】
【０００１】
本発明は、画像読取装置により原稿から読み取ったカラー画像のＲＧＢ版情報、並びにモノクロ画像のＫ版情報を含む画像データを各色別に分けた読み取り画像データが入力された際、各色別の読み取り画像データについて有彩色であるか、無彩色であるかを判定するカラー／モノクロ判定機能を持つ画像処理装置、及び読み取り画像処理方法に関する。
【背景技術】
【０００２】
従来、カラーコピー機やカラーファクシミリ装置に代表されるような画像処理装置に備えられる画像読取装置（スキャナ）等では、原稿から読み取られる画像データについて、カラー画像のＲＧＢ版情報とモノクロ画像のＫ版情報とを合わせ持たせる機能が必要とされている。
【０００３】
このような機能に係る周知技術としては、例えば被読み取り対象（原稿）から白黒画像情報を高解像度で高速に読み取ることができると共に、同時にカラー画像情報を低解像度でも階調性を確保して精度良く読み取ることができるようにした「画像読み取り装置」（特許文献１参照）や、原稿の状態に応じてカラー部と白黒部とを自動的に識別し、最適なデータに変換することによりデータ容量を低減させた「カラースキャナ」（特許文献２参照）が挙げられる。
【発明の概要】
【発明が解決しようとする課題】
【０００４】
上述した特許文献１の画像読み取り装置に係る技術では、１つ原稿からカラー画像情報をＲラインセンサ、Ｇラインセンサ、Ｂラインセンサにより読み取り、同時に白黒画像情報を白黒ラインセンサにより読み取るものであり、読み取った画像データをＨＤＤ等の大容量記憶装置に蓄積した後、蓄積画像を印刷出力する動作の段階で出力画像データに色情報を含むか否かの判定を行い、カラー画像又はモノクロ画像の何れを出力したかの判断を行っている。
【０００５】
こうした場合、読み取り画像データのＲＧＢ版情報はそれぞれ独立したセンサで検出するため、読みとり位置や読み取った画像濃度に誤差を含んでおり、読み取り時に誤差が或る一定の範囲内であれば、無彩色の画素と判断しているが、このような処理では画像エッジの色情報発生を防止できるものの、色ずれの範囲で画像端に僅かながら濃度データが発生することにより、モノクロ画像の文字データ等を読み込んだ際に画像のエッジ鮮鋭度が低下してしまうという問題がある。
【０００６】
また、特許文献２のカラースキャナに係る技術では、画像読取装置側で無彩色判定を行い、無彩色画像と判定された場合はモノクロ画像のＫ版情報のみを転送する機能であり、読み取り原稿の最後まで無彩色であることが確認終了されないとモノクロ画像を転送することができないため、画像読取装置側に読み取り原稿分の画像データを格納するメモリが必要になるだけでなく、読み取り完了とモノクロ／カラー判定後に転送開始となるために転送時間がかかってしまうという欠点がある。
【０００７】
本発明は、このような問題点を解決すべくなされたもので、その技術的課題は、画像読取装置によるカラー／モノクロの画像データに係るモノクロ画像の読み取り時に読み取り速度が低下せずに色ずれの影響を極力抑制でき、しかも大記憶容量を必要とせずに迅速な転送を可能にして画像処理の管理が容易な画像処理装置、及び読み取り画像処理方法を提供することにある。
【課題を解決するための手段】
【０００８】
上記技術的課題を解決するため、本発明の第１の手段は、画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて入力されると共に、当該入力された各色別の読み取り画像データについて有彩色であるか、無彩色であるかを当該ＲＧＢ版情報に基づいて判定するカラー／モノクロ判定機能を有する画像処理手段を備えた画像処理装置において、画像処理手段は、Ｋ版情報より３原色が同一濃度となる無彩色データを生成してカラー／モノクロ判定機能に供し、且つ当該カラー／モノクロ判定機能によるカラー／モノクロ判定として、原稿から読み込んだページの読み取り画像データがモノクロ画像であれば、無彩色データを記憶手段に蓄積して保持すると共に、読み込んだＲＧＢ版情報を破棄し、当該モノクロ画像でなくカラー画像であれば、読み込んだ当該ＲＧＢ版情報を当該記憶手段に蓄積して保持すると共に、当該無彩色データを破棄する入力画像処理手段を備えたことを特徴とする。
【０００９】
本発明の第２の手段は、画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて入力されると共に、当該入力された各色別の読み取り画像データについて有彩色であるか、無彩色であるかを当該ＲＧＢ版情報に基づいて画素毎に判定するカラー／モノクロ判定機能を有する画像処理手段を備えた画像処理装置において、画像処理手段は、カラー／モノクロ判定機能による画素毎のカラー／モノクロ判定として、原稿から読み込んだ画素毎の読み取り画像データがモノクロ画素であれば、Ｋ版情報の画素濃度より３原色が同一濃度となる無彩色データを生成してＲＧＢ版情報を置き換えるようにして全画素について判定済み後、当該ＲＧＢ版情報を記憶手段に蓄積して保持する入力画像処理手段を備えたことを特徴とする。
【００１０】
上記第２の手段において、入力画像処理手段は、画素毎のカラー／モノクロ判定の結果について、ＲＧＢ版情報が有彩色であるか無彩色であるかを示す色情報フラグを各画素毎に付加すると共に、ＲＧＢ画素情報と当該ＲＧＢ画素情報が色情報を含むか否かを示す当該色情報フラグとにより１画素データを生成することは好ましい。更に、１画素データに含まれるＲＧＢ画素情報に対する画素数カウント機能を持つ出力画像処理手段を備え、入力画像処理手段は、ＲＧＢ画素情報と色情報フラグとを分離して当該色情報フラグより画素毎のカラー／モノクロ判定として、画素毎の読み取り画像データが有彩色画素であるときに画素数カウント機能による画素数カウントに供するようにして全画素について判定済み後、有彩色画素数情報を通知する機能を持つことは好ましい。また、上記第２の手段において、入力画像処理手段は、画像編集時に画素毎の読み取り画像データから１画素データとして、ＲＧＢ版情報のビット数にＫ版情報のビット数を加えることにより当該Ｋ版情報を付加して画素順次画像に変換することも好ましい。
【００１１】
本発明の第３の手段は、画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて画像処理装置に入力された際、当該入力された各色別の読み取り画像データについて有彩色であるか、無彩色であるかを当該ＲＧＢ版情報に基づいて判定するカラー／モノクロ判定を含む読み取り画像処理方法において、Ｋ版情報より前記３原色が同一濃度となる無彩色データを生成して前記カラー／モノクロ判定に供し、当該カラー／モノクロ判定として、原稿から読み込んだページの読み取り画像データがモノクロ画像であれば、無彩色データを記憶手段に蓄積して保持すると共に、読み込んだＲＧＢ版情報を破棄し、当該モノクロ画像でなくカラー画像であれば、読み込んだ当該ＲＧＢ版情報を当該記憶手段に蓄積して保持すると共に、当該無彩色データを破棄する入力画像処理を行うことを特徴とする。
【００１２】
本発明の第４の手段は、画像読取装置により、原稿から読み取ったカラー画像に係る３原色のＲＧＢ版情報、並びにモノクロ画像の単一色に係るＫ版情報を含む画像データを各色別に分けた読み取り画像データが同時に順次転送されて画像処理装置に入力された際、当該入力された各色別の読み取り画像データについて有彩色であるか、無彩色であるかを当該ＲＧＢ版情報に基づいて画素毎に判定するカラー／モノクロ判定を行う読み取り画像処理方法において、画素毎のカラー／モノクロ判定として、原稿から読み込んだ画素毎の読み取り画像データがモノクロ画素であれば、Ｋ版情報の画素濃度より３原色が同一濃度となる無彩色データを生成してＲＧＢ版情報を置き換えるようにして全画素について判定済み後、当該ＲＧＢ版情報を記憶手段に蓄積して保持する入力画像処理を行うことを特徴とする。
【００１３】
上記第４の手段において、画素毎のカラー／モノクロ判定の結果について、ＲＧＢ版情報が有彩色であるか無彩色であるかを示す色情報フラグを各画素毎に付加すると共に、ＲＧＢ画素情報と当該ＲＧＢ画素情報が色情報を含むか否かを示す当該色情報フラグとにより１画素データを生成し、入力画像処理では、ＲＧＢ画素情報と色情報フラグとを分離して当該色情報フラグより画素毎のカラー／モノクロ判定として、画素毎の読み取り画像データが有彩色画素であるときに画素数カウントに供するようにして全画素について判定済み後、有彩色画素数情報を通知するか、或いは入力画像処理では、画像編集時に画素毎の読み取り画像データから１画素データとして、ＲＧＢ版情報のビット数にＫ版情報のビット数を加えることにより当該Ｋ版情報を付加して画素順次画像に変換することは好ましい。
【発明の効果】
【００１４】
本発明によれば、画像読取装置によるカラー／モノクロの画像データに係るモノクロ画像の読み取り時に読み取り速度が低下せずに色ずれの影響を極力抑制でき、しかも大記憶容量を必要とせずに迅速な転送を可能にして画像処理の管理を容易に行うことができる。
【図面の簡単な説明】
【００１５】
【図１】本発明の実施例１に係る画像処理装置に用いられる画像読取装置の要部構成を示した概略図である。
【図２】図１に示す画像読取装置に備えられる画像読取部におけるＣＣＤの受光部の概略構成を示した図である。
【図３】本発明の実施例１に係る画像処理装置の基本構成を使用環境下での周辺装置を含めて示した機能ブロック図である。
【図４】図３に示す画像処理装置の動作処理を示したフローチャートである。
【図５】図３に示す画像処理装置に備えられる入力画像処理部の細部構成を示した回路ブロック図である。
【図６】本発明の実施例２に係る画像処理装置の動作処理を示したフローチャートである。
【図７】図６に示す画像処理装置に備えられる入力画像処理部の細部構成を示した回路ブロック図である。
【図８】本発明の実施例３に係る画像処理装置の動作処理を示したフローチャートである。
【図９】図８に示す画像処理装置に備えられる入力画像処理部の細部構成を示した回路ブロック図である。
【図１０】本発明の実施例４に係る画像処理装置の基本機能を説明するために既存の画像読取装置の画像読取部におけるＣＣＤの受光部の概略構成を示した図である。
【図１１】図１０で説明したＣＣＤの受光部を有する画像読取装置で原稿の読み取りを行った場合の元画像に対する色版毎の読み取りによるページ単位で成立する色版別の面順次画像を示した模式図である。
【図１２】図１１で説明した色版別の面順次画像における１ライン単位で成立する色版別の線順次画像を示した模式図である。
【図１３】図１２で説明した色版別の線順次画像をカラー１画素の情報とした場合の画素順次画像を示した模式図である。
【図１４】本発明の実施例４に係る画像処理装置で適用されるＲＧＢ版情報が有彩色であるか無彩色であるかを示すフラグの情報を付加した場合のフラグ付き画素順次画像を示した模式図である。
【図１５】図１４で説明したフラグ付き画素順次画像における１画素データの総ビット数とフラグの領域区分での用途とを説明した模式図である。
【図１６】本発明の実施例４に係る画像処理装置の画像処理部に備えられる入力画像処理部の細部構成を示した回路ブロック図である。
【図１７】本発明の実施例５に係る画像処理装置の動作処理を示したフローチャートである。
【図１８】図１５で説明したフラグの領域区分での用途を拡張させた場合の様子を説明した模式図である。
【図１９】図１８に示す拡張させたフラグを実施例５に係る画像処理装置に適用させたときの動作処理を示したフローチャートである。
【図２０】本発明の実施例６に係る画像処理装置の基本機能を説明するために周知の読み取り画像データについて画像編集した場合の元画像に対する９０度回転画像を示した模式図である。
【図２１】図２０で説明した回転処理後のデータを１画素データ毎に不連続なアドレスに書き込むときに必要な記憶手段のアクセス単位に変換するデータ配列を例示した模式図である。
【図２２】図２１で説明した記憶手段のアクセス単位に変換するデータ配列の周知技術を例示した模式図である。
【図２３】本発明の実施例６に係る画像処理装置で適用されるモノクロ読み取り情報を加えて記憶手段のアクセス単位に変換するデータ配列を例示した模式図である。
【図２４】図２３で説明したモノクロ読み取り情報を付加した場合のＲＧＢ＋Ｋの画素順次画像を示した模式図である。
【図２５】本発明の実施例６に係る画像処理装置の画像処理部に備えられる入力画像処理部の細部構成を示した回路ブロック図である。
【発明を実施するための形態】
【００１６】
以下に、本発明の画像処理装置、及び読み取り画像処理方法について、幾つかの実施例を挙げ、図面を参照して詳細に説明する。
【実施例１】
【００１７】
図１は、本発明の実施例１に係る画像処理装置に用いられる画像読取装置の要部構成を示した概略図である。この画像読取装置は、原稿が載置されるコンタクトガラス２０１と、原稿をコンタクトガラス２０１上に押圧する圧板２０２と、露光照明ユニットであるハロゲンランプ２０３、第１ミラー２０４、第２ミラー２０６、及び第３ミラー２０７で一体構成されたスキャナ２０８と、フィルタ２０９、レンズ２１０、及びＣＣＤ２１２で一体構成された画像読取部２１３と、ＣＣＤ２１２から出力された画像信号を入力して所定の信号処理を施すための各種回路等が実装されたスキャナ基板２１４とが筐体内に収容されて構成されている。
【００１８】
その他の構成部分について、参照符号の２１５はシェーディング板（白基準板）であり、２１６、２１７は冷却ファンであり、２１８は結露防止ヒータであり、２１９は原稿サイズ検知器２１９である。
【００１９】
図２は、上述した画像読取部２１３におけるＣＣＤ２１２の受光部の概略構成を示した図である。ＣＣＤ２１２の受光部は、セラミックパッケージ３１１に配備されると共に、カラー画像の読み取りのためのＲ、Ｇ、Ｂの３原色に対応する受光素子列であるＲラインセンサ、Ｇラインセンサ、Ｂラインセンサと白黒（モノクロ）画像の読み取ための受光素子列であるＫラインセンサとを原稿の主走査方向に沿って配列して成るセンサラインユニット３１２（図２中では上から順にＢラインセンサ、Ｇラインセンサ、Ｒラインセンサ、Ｋラインセンサが配列される）の表面をガラス板３１３で覆って構成されている。
【００２０】
図３は、本発明の実施例１に係る画像処理装置の基本構成を使用環境下での周辺装置を含めて示した機能ブロック図である。この画像処理装置は、原稿から画像データを読み取る画像読取装置（スキャナ）３３と、画像読取装置３３で読み取られた読み取り画像データの画像処理に際しての入出力制御を行う画像入出力制御部（エンジン制御部）１０と、読み取り画像データの画像処理を行う画像処理部（コントローラ部）２０と、から構成される。なお、画像読取装置３３は、図１及び図２で説明した機能構成を持つもの（センサラインユニット３１２の構成は特許文献１で開示されたものと同様）である。
【００２１】
画像入出力制御部１０は、読取制御部１１及び出力制御部１６に対してエンジンＣＰＵ１２、ＮＶＲＡＭ１３、ＲＯＭ１４、ＲＡＭ１５、通信Ｉ／Ｆ（インターフェース）１７が接続されて構成されており、出力制御部１６には画像出力装置（プロッタ）３４が接続されている。
【００２２】
また、画像処理部２０は、画像入出力制御部１０の読取制御部１１に接続されたＡＣＳ（Ａｕｔｏ  Ｃｏｌｏｒ  Ｓｅｌｅｃｔ：自動色選択）の機能を持つ入力画像処理部２１、及び画像入出力制御部１０の出力制御部１６に接続された画素数カウンタ機能を持つ出力画像処理部３０に対して、コントローラＣＰＵ２２、操作部Ｉ／Ｆ２３、ＨＤＤＩ／Ｆ２４、ネットワークＩ／Ｆ２６、ＮＶＲＡＭ２７、ＲＡＭ２８、ＲＯＭ２９、通信Ｉ／Ｆ３１が接続されて構成されている。このうち、操作部Ｉ／Ｆ２３には操作パネル３２が接続され、ＨＤＤＩ／Ｆ２４にはＨＤＤ２５が接続され、ネットワークＩ／Ｆ２６には他の端末装置やコンピュータ等が接続され、通信Ｉ／Ｆ３１には画像入出力制御部１０の通信Ｉ／Ｆ１７が接続されている。
【００２３】
この画像処理装置では、画像読取装置３３により、原稿から読み取ったカラー画像に係る３原色のＲＧＢ版情報、並びにモノクロ画像の単一色に係るＫ版情報を含む画像データを各色別に分けた読み取り画像データが画像入出力制御部１０の読取制御部１１を介して画像処理部２０に順次同時に転送され、画像処理部２０では画像出力、蓄積、配信等に適した所定の画像処理を行う。画像処理部２０における入力画像処理部２１では、ＡＣＳ機能により入力された各色別の読み取り画像データを対象として、ＲＧＢ版情報に基づいて有彩色（カラー画像）であるか、無彩色（モノクロ画像）であるかを判定するカラー／モノクロ判定を行う。ＡＣＳ機能で有彩色、無彩色を判定する手段は、例えば特開２００２−１６５１０１号公報に開示された原稿色識別回路等の周知技術を適用できる。
【００２４】
実施例１に係る画像処理装置では、画像読取装置３３で読み取られたＲＧＢ版情報、並びにＫ版情報を含む色別な読み取り画像データのページについて、Ｋ版情報より３原色が同一濃度となる無彩色データを画像処理部２０の入力画像処理部２１が生成してカラー／モノクロ判定に供する。
【００２５】
図４は、実施例１に係る画像処理装置の動作処理を示したフローチャートである。この動作処理では、画像読取装置３３が原稿から１ページ分の画像データを読み取ることにより、画像（画像データ）をＲ／Ｇ／Ｂ／Ｋ版に分けて読み取り（ステップＳ１）が行われ、各色別の読み取り画像データが画像入出力制御部１０の読取制御部１１を介して画像処理部２０の入力画像処理部２１−１に転送される。入力画像処理部２１−１では、入力された各色別の読み取り画像データについて、Ｋ版情報より無彩色（モノクロ画像）データとなるＲＧＢ'版情報を生成（ステップＳ２）した後、ＲＧＢ版情報よりモノクロ／カラー判定（ステップＳ３）を行う設定とし、読み込み画像（画像データ）はモノクロページであるか否かの判定（ステップＳ４）を行う。この判定の結果、モノクロページであれば、生成したＲＧＢ'版情報をＨＤＤ２５に蓄積（ステップＳ５）して保持させた後、読み込んだＲＧＢ版情報を破棄（ステップＳ６）してから動作処理を終了するが、モノクロページでなければ（カラーページであれば）、読み込んだＲＧＢ版情報をＨＤＤ２５に蓄積（ステップＳ７）して保持させた後、生成したＲＧＢ'版情報を破棄（ステップＳ８）してから動作処理を終了する。
【００２６】
要するに、実施例１に係る入力画像処理部２１−１では、読み取り画像データのページが色情報を含まないモノクロ画像と判定すると、Ｋ版情報より生成されたＲ＝Ｇ＝Ｂの濃度となる無彩色のＲＧＢ'版情報を生成してＨＤＤ２５に格納し、読み取り時のＲＧＢ版情報の破棄を実行する。また、モノクロ画像ではなく色情報を含むカラー画像と判定すると、読み取ったＲＧＢ版情報をＨＤＤ２５に蓄積し、生成した無彩色のＲＧＢ'版情報については破棄する。ここでの動作処理を実行した後は、読み取り画像データがカラー画像であるか、或いはモノクロ画像であるかに拘わらずＲＧＢ画像フォーマットで管理する。
【００２７】
図５は、実施例１に係る入力画像処理部２１−１の細部構成を示した回路ブロック図である。入力画像処理部２１−１は、画像読取装置３３からのＲＧＢＫ版情報の読み取り画像データについて、カラー画像分のＲＧＢ版情報に対して画像補正を行うカラー画像補正部と、モノクロ画像分のＫ版情報に対して画像補正を行うモノクロ画像補正部と、を備えて構成される。
【００２８】
カラー画像補正部、モノクロ画像補正部では、画像補正としてスキャナγ１、スキャナγ２でＲＧＢ版情報、Ｋ版情報の何れについても読み取り濃度情報に応じた補正係数をかけて読み取り濃度のばらつきをリニアな特性とする補正を行い、後段のフィルタ１、フィルタ２の濾波処理によりノイズ情報を除去する処理を行う。
【００２９】
その後、カラー画像補正部では、ＲＧＢ版情報について色再現性を精度良く再生することを目的に色補正係数を考慮した色補正を行うと共に、出力γ１で装置毎の特性に合わせ画像全体の濃度レベルを調整する補正を実施してＲＧＢ信号を出力する。また、フィルタ１の後段に接続されたＡＣＳでは、ＲＧＢ版情報よりカラー判定を行い、入力された読み取り画像データにカラー情報を含む場合にはカラー検出信号を出力して画像処理部２０における後段のコントローラＣＰＵ２２に通知する。
【００３０】
モノクロ画像補正部では、カラー画像補正部のような色情報補正を行わない代わりに無彩色ＲＧＢ生成でＫ版情報（Ｋ色）の濃度情報によりＲ＝Ｋ、Ｇ＝Ｋ、Ｂ＝ＫのＲＧＢ'情報を生成する。ＲＧＢ'版情報はＲ、Ｇ、Ｂの各色濃度に差異がないために色情報を含まず、画像の明るさのみを表わす情報となる。その後、出力γ２でカラー画像補正部で補正した画像と濃度差が生じないよう濃度レベルを調整する補正を実施してＲＧＢ'信号を出力する。
【００３１】
ＡＣＳで読み取り画像データに色情報を含むカラー画像と判断された場合にはＲＧＢ版情報をＨＤＤ２５等の大容量記憶装置手段に蓄積保持すると共に、無彩色のＲＧＢ'版情報を破棄し、色情報を含まないモノクロ画像と判断された場合には無彩色のＲＧＢ'版情報を同様にＨＤＤ２５等に蓄積保持すると共に、読み取ったＲＧＢ版情報を破棄する。
【００３２】
実施例１に係る画像処理装置では、ＲＧＢＫ版情報の読み取り画像データは読み取り処理が終わった画像ラインから直ちに画像入出力制御部１０の読取制御部１１を介して画像処理部２０の入力画像処理部２１−１に転送され、入力画像処理部２１−１でモノクロ／カラー判定が行われるため、読み取り速度を向上させることができると共に、特許文献２で必要とされた画像読取装置３３側での画像メモリを不要にすることができる。
【００３３】
実施例１に係る画像処理装置によれば、読み取り画像データが無彩色と判定された場合、ＲＧＢ版情報に色情報を含まないように補正処理を加えて蓄積保持することで、蓄積画像データの出力時に画像エッジ部分の色ずれによるにじみ等を生じる画像鮮鋭性の低下を十分に防止でき、モノクロ画像をカラー画像として誤判定することによる誤課金動作の防止機能についても具現できる。また、蓄積画像のフォーマットがＲＧＢに統一されることで画像データの蓄積の際にモノクロ／カラーの区分が不要になり、画像データ（画像処理）の管理が容易になる。
【００３４】
上述した実施例１に係る画像処理装置の技術は、画像読取装置３３により、原稿から読み取ったカラー画像に係る３原色のＲＧＢ版情報、並びにモノクロ画像の単一色に係るＫ版情報を含む画像データを各色別に分けた読み取り画像データが同時に順次転送されて画像処理装置に入力された際、入力された各色別の読み取り画像データについて有彩色であるか、無彩色であるかをＲＧＢ版情報に基づいて判定するカラー／モノクロ判定を含む読み取り画像処理方法として換言することができる。こうした場合の読み取り画像処理方法の特徴は、Ｋ版情報より３原色が同一濃度となる無彩色データを生成してカラー／モノクロ判定に供し、カラー／モノクロ判定として、原稿から読み込んだページの読み取り画像データがモノクロ画像であれば、無彩色データを記憶手段（例えばＨＤＤ２５）に蓄積して保持すると共に、読み込んだＲＧＢ版情報を破棄し、モノクロ画像でなくカラー画像であれば、読み込んだＲＧＢ版情報を記憶手段（例えばＨＤＤ２５）に蓄積して保持すると共に、無彩色データを破棄する入力画像処理を行うものである。
【実施例２】
【００３５】
実施例２に係る画像処理装置は、実施例１の装置が備える入力画像処理部２１−１と比べて、入力画像処理部２１−２の処理機能が異なる。
【００３６】
図６は、本発明の実施例２に係る画像処理装置の動作処理を示したフローチャートである。この動作処理では、画像読取装置３３が原稿から１ページ分の画像データを読み取ることにより、画像（画像データ）をＲ／Ｇ／Ｂ／Ｋ版に分けて読み取り（ステップＳ１１）が行われ、各色別の読み取り画像データが画像入出力制御部１０の読取制御部１１を介して画像処理部２０の入力画像処理部２１−２に転送される。入力画像処理部２１−２では、ＲＧＢ版情報よりモノクロ／カラー判定（ステップＳ１２）を行う設定とし、読み込み画像（画像データ）はモノクロページであるか否かの判定（ステップＳ１３）を行う。この判定の結果、モノクロページであれば、ＲＧＢ版情報を破棄（ステップＳ１４）した後、Ｋ版情報をＨＤＤ２５に蓄積（ステップＳ５）して保持させてから動作処理を終了するが、モノクロページでなければ（カラーページであれば）、Ｋ版情報を破棄（ステップＳ１６）した後、ＲＧＢ版情報をＨＤＤ２５に蓄積（ステップＳ１７）して保持させてから動作処理を終了する。
【００３７】
要するに、実施例２の入力画像処理部２１−２では、読み取り画像データのＲＧＢ版情報が無彩色（モノクロ画像）と判定すると、ＲＧＢ版情報の破棄を実行してＫ版情報のみをＨＤＤ２５に格納する。また、有彩色（カラー画像）と判定すると、Ｋ版情報を破棄してＲＧＢ版情報のみをＨＤＤ２５に格納する。ここでの動作処理を実行した後は、カラー画像とモノクロ画像とが別フォーマットで管理される。
【００３８】
図７は、実施例２に係る入力画像処理部２１−２の細部構成を示した回路ブロック図である。入力画像処理部２１−２は、実施例１に係る入力画像処理部２１−１の構成と比べると、モノクロ画像補正部における構成が無彩色ＲＧＢ生成を行わず、出力γ２に変えた出力γ３でＫ版情報のみを処理するため１色分のγ補正回路を持つ構成であり、Ｋ信号を出力する点が相違している。
【００３９】
実施例２に係る画像処理装置によれば、読み取り画像データのモノクロ／カラー判定により蓄積画像データのフォーマットを変えているため、色情報のない画像データ量を削減することが可能になる。
【００４０】
上述した実施例２に係る画像処理装置の技術は、実施例１で説明した場合と同様な条件下の読み取り画像処理方法として換言することができる。こうした場合の読み取り画像処理方法の特徴は、カラー／モノクロ判定として、原稿から読み込んだページの読み取り画像データがモノクロ画像であれば、ＲＧＢ版情報を破棄すると共に、Ｋ版情報を記憶手段（例えばＨＤＤ４２）に蓄積して保持し、モノクロ画像でなくカラー画像であれば、Ｋ版情報を破棄すると共に、ＲＧＢ版情報を記憶手段（例えばＨＤＤ４２）に蓄積して保持する入力画像処理を行うものである。
【実施例３】
【００４１】
実施例３に係る画像処理装置は、実施例１の装置が備える入力画像処理部２１−１や実施例２の装置が備える入力画像処理部２１−２と比べて、入力画像処理部２１−３の処理機能が異なる。
【００４２】
図８は、本発明の実施例３に係る画像処理装置の動作処理を示したフローチャートである。この動作処理では、画像読取装置３３が原稿から１ページ分の画像データを読み取ることにより、画像（画像データ）をＲ／Ｇ／Ｂ／Ｋ版に分けて読み取り（ステップＳ２１）が行われ、各色別の読み取り画像データが画像入出力制御部１０の読取制御部１１を介して画像処理部２０の入力画像処理部２１−３に転送される。入力画像処理部２１−３では、ＲＧＢ版情報より画素毎にモノクロ／カラー判定（ステップＳ２２）を行う設定とし、対象画素はモノクロ画素であるか否かの判定（ステップＳ２３）を行う。この判定の結果、モノクロ画素であれば、Ｋ版の画素濃度（Ｋ版情報）よりＲ＝Ｇ＝Ｂの濃度（無彩色のＲＧＢ'版情報）を生成して読み取ったＲＧＢ版情報（画素データ）を置き換え（ステップＳ２４）する処理を行った後、全画素判定済みであるか否かの判定（ステップＳ２５）を行う。また、モノクロ画素でなければ（カラー画素であれば）、その後も同様に全画素判定済みであるか否かの判定（ステップＳ２５）を行う。この判定の結果、全画素判定済みでなければ、ＲＧＢ版情報により画素毎にモノクロ／カラー判定（ステップＳ２２）を行う処理の前にリターンするが、全画素判定済みであれば、ＲＧＢ版情報をＨＤＤ２５に蓄積（ステップＳ２６）してから動作処理を終了する。
【００４３】
要するに、実施例３の入力画像処理部２１−３では、読み取り画像データのＲＧＢ版情報に対してモノクロ／カラー判定を読み取った全画素に対して画素毎に判定した結果、無彩色と判定された画素についてはＲＧＢ版情報と同時に読み取ったＫ版情報よりＲ＝Ｇ＝Ｂの濃度となる無彩色のＲＧＢ'版情報の生成を行い、読み取ったＲＧＢ版情報（画素データ）と置き換える。実施例２に係る入力画像処理部２１−２では、読み取り画像データの分類分けの読み取り完了後に不要データの破棄を実施するため、カラー／モノクロ判定が完了するまでは双方の画像データ（カラー画像、モノクロ画像）を蓄積保持しておく必要があるが、実施例３に係る入力画像処理部２１−３では入力された読み取り画像データに対して画素毎に直ちにカラー／モノクロ判定を実施するため、読み取り画像１面をすべて蓄積保持するための記憶手段（メモリ）が不要になる。ここでの動作処理を実行した後は、実施例１の場合と同様に読み取り画像データがカラー画像であるか、或いはモノクロ画像であるかに拘わらずＲＧＢ画像フォーマットで管理する。
【００４４】
図９は、実施例３に係る入力画像処理部２１−３の細部構成を示した回路ブロック図である。入力画像処理部２１−３は、実施例１に係る入力画像処理部２１−１の構成と比べると、カラー画像補正部、ＡＣＳ、モノクロ画像補正部から出力されるＲＧＢ信号、カラー検出信号、ＲＧＢ'信号を入力して選択的にＲＧＢ信号として出力するデータセレクタが配備された点が相違する。但し、実際の回路機能では、入力された読み取り画像データの画素毎に色判定を行い、色情報と判定された場合はＲＧＢ版情報から生成されたＲＧＢ画素を、色情報がないと判定された場合はＫ版情報から生成されたＲＧＢ'画素を出力する構成となる。
【００４５】
実施例３に係る画像処理装置によれば、画素毎にカラー／モノクロ判定と無彩色時の色成分除去処理とを実施するため、蓄積された読み取り画像データの一部を切り出して出力する際、切り出し部分に色情報を含む画像が入っているか否かの判定が容易になる。また、実施例３によれば、先の実施例１、実施例２の処理動作のように読み取り画像データをＲＧＢＫで各色１ページ分を保持する必要がないため、画像処理装置のメモリ量を削減することが可能になる。
【００４６】
上述した実施例３に係る画像処理装置の技術は、画像読取装置３３により、原稿から読み取ったカラー画像に係る３原色のＲＧＢ版情報、並びにモノクロ画像の単一色に係るＫ版情報を含む画像データを各色別に分けた読み取り画像データが同時に順次転送されて画像処理装置に入力された際、入力された各色別の読み取り画像データについて有彩色であるか、無彩色であるかをＲＧＢ版情報に基づいて画素毎に判定するカラー／モノクロ判定を行う読み取り画像処理方法として換言することができる。こうした場合の読み取り画像処理方法の特徴は、画素毎のカラー／モノクロ判定として、原稿から読み込んだ画素毎の読み取り画像データがモノクロ画素であれば、Ｋ版情報の画素濃度より３原色が同一濃度となる無彩色データを生成してＲＧＢ版情報を置き換えるようにして全画素について判定済み後、ＲＧＢ版情報を記憶手段（例えばＨＤＤ２５）に蓄積して保持する入力画像処理を行うものである。
【実施例４】
【００４７】
実施例４に係る画像処理装置は、実施例１の装置が備える入力画像処理部２１−１、実施例２の装置が備える入力画像処理部２１−２、及び実施例３の装置が備える入力画像処理部２１−３と比べて、入力画像処理部２１−４の処理機能が異なる。
【００４８】
図１０は、本発明の実施例４に係る画像処理装置の基本機能を説明するために既存の画像読取装置の画像読取部におけるＣＣＤの受光部の概略構成を示した図である。図１０を参照すれば、この画像読取部におけるＣＣＤの受光部は、図２で説明した構成と比べ、センサラインユニット３１２'がＲＧＢの３原色に対応する受光素子列であるＲラインセンサ、Ｇラインセンサ、Ｂラインセンサを原稿の主走査方向に沿って配列して成る（図１０中では上から順にＢラインセンサ、Ｇラインセンサ、Ｒラインセンサが配列される）。
【００４９】
このような構成の受光部を備えた画像読取装置で原稿の画像データを読み取ると、Ｒ、Ｇ、Ｂの色版毎に分けて色別ラインセンサがそれぞれ読み取りを行うため、元画像の読み取り後の画像データは、図１１に示されるように色版毎の読み取りによるページ単位（１ページ分）で成立する色版別の面順次画像として取り込まれ、各色のＲ、Ｇ、Ｂの画像データにおける１画素分のデータは図１２に示される色版別の面順次画像における１ライン単位で成立する色版別の線順次画像において８ビットで表現される。また、色情報はＲ、Ｇ、Ｂの３原色で表わすことが可能なため、通常のカラー１画素の情報は図１３の画素順次画像中に示されるようにＲｎ＝８ビット、Ｇｎ＝８ビット、Ｂｎ＝８ビットによる２４ビットの情報となる。
【００５０】
そこで、実施例４に係る画像処理装置では、実施例３の装置の動作処理で実施した画素毎の色判定結果について、実施例４に係る入力画像処理部２１−４より図１４のフラグ付き画素順次画像中に示されるように、ＲＧＢ版情報が有彩色であるか無彩色であるかを示す色情報フラグＦ０〜Ｆｎを各画素毎に付加すると共に、ＲＧＢ画素情報とＲＧＢ画素情報が色情報を含むか否かを示す色情報フラグＦとにより１画素データを生成する。この結果、１画素データの総ビット数は、図１５に示されるように、フラグの８ビット分を合わせた３２ビットとなる。因みに、フラグの先頭の１ビット分の領域は無彩色を示す０、有彩色を示す１が割り当てられ、その他の７ビット分は予約領域として用いられる。
【００５１】
図１６は、実施例４に係る入力画像処理部２１−４の細部構成を示した回路ブロック図である。入力画像処理部２１−４は、実施例１に係る入力画像処理部２１−１の構成と比べると、モノクロ画像補正部を持たず、ＡＣＳから出力されるカラー検出信号に基づいて色情報フラグ生成により色情報フラグＦの信号を出力させ、更にカラー画像補正部から出力されるＲＧＢ信号と色情報フラグＦの信号とをフラグ情報付加によりＲＧＢ＋Ｆの信号として出力させる点で相違する。
【００５２】
実施例４の画像処理装置では、ＲＧＢ画素情報と色情報フラグＦとからなる画素情報を印刷出力する動作で、ＲＧＢ画素を印刷用のＣＭＹＫデータに変換する際、有彩色のカラー画素を示す色情報フラグＦ（Ｆ＝１）を付加された画素に対してはＲＧＢ画素情報を印刷出力用のＣＭＹＫデータに変換する。また、無彩色のモノクロ画素を示す色情報フラグＦ（Ｆ＝０）を付加された画素に対しては、ＲＧＢ画素情報からＣＭＹＫデータへの変換時の誤差によりＣＭＹの色成分が発生しないように、ＣＭＹ成分を０とし、モノクロのＫ版情報（Ｋ色）のみで画像データを生成する処理を実施する。
【００５３】
実施例４の画像処理装置によれば、ＲＧＢ画素情報が有彩色であるか無彩色であるかを示す色情報フラグを読み取り時に画素毎に付加するため、印刷出力時の処理で無彩色画素に色成分が混入するのを防止することができ、モノクロ出力画像の再現性が向上する。
【００５４】
上述した実施例４の画像処理装置の技術は、上述した実施例３に係る読み取り画像処理方法において、画素毎のカラー／モノクロ判定結果について、ＲＧＢ版情報が有彩色であるか無彩色であるかを示す色情報フラグＦを各画素毎に付加すると共に、ＲＧＢ画素情報とＲＧＢ画素情報が色情報を含むか否かを示す色情報フラグＺＦとにより１画素データを生成するものと換言することができる。
【実施例５】
【００５５】
実施例５に係る画像処理装置は、実施例４の装置で説明したＲＧＢ＋Ｆの信号におけるＲＧＢ画素情報と色情報フラグＦとを実施例３の装置に適用させて分離し、有彩色画素数をカウントして課金する機能を構築したものである。
【００５６】
図１７は、本発明の実施例５に係る画像処理装置の動作処理を示したフローチャートである。この動作処理では、まず画像処理部２０の出力画像制御部３０に備えられる画素数カウンタを零に設定する画素数カウンタ＝０（ステップＳ３１）とし、入力画像処理部でＲＧＢ画素情報と色情報フラグＦとを分離（ステップＳ３２）した後、色情報フラグＦより画素毎にモノクロ／カラー判定（ステップＳ３３）を行う設定とし、対象画素（画像データ）は有彩色画素（カラー画素）であるか否かの判定（ステップＳ３４）を行う。この判定の結果、有彩色画素であれば、出力画像処理部３０の画素数カウンタの値を＋１として課金する画素数カウンタ＋１（ステップＳ３５）の処理を行った後、全画素判定済みであるか否かの判定（ステップＳ３６）を行う。また、有彩色画素でなければ（無彩色画素であれば）、その後も同様に全画素判定済みであるか否かの判定（ステップＳ３６）を行う。この判定の結果、全画素判定済みでなければ、色情報フラグＦより画素毎にモノクロ／カラー判定（ステップＳ３３）を行う処理の前にリターンするが、全画素判定済みであれば、有彩色画素数情報をコントローラＣＰＵ２２へ通知（ステップＳ３７）してから動作処理を終了する。
【００５７】
要するに、実施例５に係る画像処理装置は、実施例３の装置の動作処理で画像処理部２０の出力画像処理部３０から画像入出力制御部１０の出力制御部１６を経由して蓄積画像である出力（印刷）画像データを画像出力装置３４へ伝送して印刷出力動作を実行する際、画像処理部２０の出力画像処理部３０でＲＧＢ画素情報からＣＭＹＫデータへの色変換を行って出力画像データに変換する処理と、この処理と同時にＲＧＢ画素情報に付加された色情報フラグＦより有彩色の画素数をカウントし、印刷出力ページ内の有彩色画素数に基づくカラー出力動作の課金カウントを行うものである。このような処理により、画像の一部分のみを印刷出力するような指定があった場合でも、画素毎に有彩色か否かを判定済みであるため、印刷出力範囲の画像に色情報を含むか否かの判定が容易となる。
【００５８】
また、実施例４で説明した色情報フラグＦを拡張し、図１８に示されるように最初のビットに続く２番目のビットに画素情報なしの場合に０を割当て、画素情報ありの場合に１を割当て、「画素情報」を追加して応用的な動作処理を行わせることもできる。
【００５９】
図１９は、係る拡張させたフラグを実施例５の画像処理装置に適用させたときの動作処理を示したフローチャートである。
【００６０】
こうした場合の動作処理では、まず画像処理部２０の出力画像制御部３０に備えられる画素数カウンタを零に設定する画素数カウンタ＝０（ステップＳ４１）とし、入力画像処理部でＲＧＢ画素情報と色情報フラグＦとを分離（ステップＳ４２）した後、画素情報があるか否かを出力画像のＣ、Ｍ、Ｙ、Ｋの濃度が０となる条件、即ち各色８ビットのＲＧＢ画像でＲ＝Ｇ＝Ｂ＝２５５（＝０×ＦＦ）であるか否かの判定（ステップＳ４３）により行う。この判定は、白色の用紙に文字や画像が記載された原稿で、用紙の地肌の色である白データを読み取った場合に「画素情報なし」と判定し、白以外の濃度情報を読み取った場合に「画素情報あり」と判定するものである。この判定の結果、画素が白以外で画素情報があれば、色情報フラグＦにより画素毎にモノクロ／カラー判定（ステップＳ４４）を行うものとして、対象画素（画像データ）は有彩色画素（カラー画素）であるか否かの判定（ステップＳ４５）を行う。この判定の結果、有彩色画素であれば、出力画像処理部３０の画素数カウンタの有彩色（カラー）画素数カウンタ＋１（ステップＳ４６）とする処理を行い、有彩色画素なければ（無彩色画素であれば）、無彩色（モノクロ）画素数カウンタ＋１（ステップＳ４７）とする処理を行い、何れもその後は未判定画素があるか否かの判定（ステップＳ４８）を行う。また、画素が白で画素情報がなければ、その後も同様に未判定画素があるか否かの判定（ステップＳ４８）を行う。この判定の結果、未判定画素があれば、Ｒ＝Ｇ＝Ｂ＝２５５（＝０×ＦＦ）であるか否かの判定（ステップＳ４３）を行う処理の前にリターンするが、未判定画素がなければ、有彩色、無彩色の画素数情報をコントローラＣＰＵ２２へ通知（ステップＳ４９）してから動作処理を終了する。
【００６１】
要するに、こうした場合の画像処理装置は、印刷出力動作時の出力画像処理部３０の画素数カウンタで画素情報があって有彩色である場合と画素情報があって無彩色である場合とについて、場合分けして画素数をカウントし、印刷出力時のカラー画像、モノクロ画像のデータ量を正しく算出してコントローラＣＰＵ２２へ通知し、課金情報へ反映することができる。
【００６２】
実施例５の画像処理装置によれば、従来装置の動作処理では、印刷ページ内にカラー情報を含む場合にそのデータ量に拘わらずページ全体をカラー印刷として課金処理を行う機能であるのに対し、カラー画像出力を行った画素数、モノクロ画像出力を行った画素数を詳しく算出するため、カラー／モノクロの画像出力時に加算される課金情報の精度が向上する。また画素毎の判定結果により色情報を持つ画素を容易に確認することができるため、画像の一部分のみを印刷出力する場合でも正しい課金情報を反映することができる。
【００６３】
上述した実施例５の画像処理装置の技術は、上述した実施例４に係る読み取り画像処理方法において、入力画像処理では、ＲＧＢ画素情報と色情報フラグＦとを分離して色情報フラグより画素毎のカラー／モノクロ判定として、画素毎の読み取り画像データが有彩色画素であるときに画素数カウントに供するようにして全画素について判定済み後、有彩色画素数情報を通知するものとして換言することができる。
【実施例６】
【００６４】
実施例６に係る画像処理装置は、実施例２の装置での入力画像処理部２１−２を各色別の読み取り画像データについてＲＧＢ版情報に基づいて画素毎に判定する実施例３の装置のカラー／モノクロ判定機能に適用させ、画像編集時に画素毎の読み取り画像データから１画素データとして、ＲＧＢ版情報のビット数にＫ版情報のビット数を加えることによりＫ版情報を付加して画素順次画像に変換する機能を構築したものである。
【００６５】
図２０は、本発明の実施例６に係る画像処理装置の基本機能を説明するために周知の読み取り画像データについて画像編集した場合の元画像に対する９０度回転画像を示した模式図である。ここでは、画像編集として、ＨＤＤ２５等の記憶手段上に保持した画像データを回転処理したとき、連続したアドレスで読み出した場合には回転処理後のデータを１画素データ毎に不連続なアドレスに書き込む必要があることを示している。例えば、記憶手段のアクセス単位と異なる２４ビットのようなサイズで書き込む場合には、図２１に示されるように次の画素データを予め取得して、記憶手段のアクセス単位に変換してから書き込む等の処理が必要になる。これに対し、周知技術（比較）として、特開平８−３０５８４０号公報には図２２に示されるように、１画素分のＲＧＢ画素情報の前又は後に８ビットの無効データを付加することで記憶手段のアクセス単位に変換する手法が知られている。
【００６６】
図２２に示したような無効データ（ダミーデータ）を付加する技術では、ＤＭＡＣを使用したデータ転送、画像データの回転処理等で記憶手段のアクセス効率が良くなるが、蓄積している情報がＲＧＢ（カラー）版情報のみであるため、モノクロ出力が選択された場合にはＲＧＢ情報からＫ（モノクロ）版情報を生成する処理が必要になる。ところが、ＲＧＢ版情報は、画像読取装置の画像読取部（センサ）が移動することによる読み取り位置の誤差やＲＧＢの各ラインセンサ間で読み取り濃度がばらつくことによる画素濃度の誤差を含むため、Ｋ情報のみで読み取った場合のデータと比べて読み取り精度や画像濃度の再現性で劣る場合がある。
【００６７】
そこで、実施例６では、図２３に示されるようにＲＧＢの２４ビットにモノクロ読み取り情報Ｋの８ビットを加えるようにし、図２４のＲＧＢ＋Ｋによる画素順次画像中に示されるように３２ビットで１画素データを表わす構成とする。即ち、実施例６の画像処理装置では、入力画像処理部２１−５が画像編集時に画素毎の読み取り画像データから１画素データとして、ＲＧＢ版情報のビット数にＫ版情報のビット数を加えることによりＫ版情報を付加して画素順次画像に変換する。これにより、画像編集時には読み取り画像データの１画素データをＲＧＢ＋Ｋの情報として蓄積して保持し、蓄積画像をモノクロ画像出力する動作において、読み取り時に白黒情報のみで読み取ったＫ色データを出力することが可能なため、モノクロ画像の再現性が向上する。
【００６８】
図２５は、実施例６に係る入力画像処理部２１−５の細部構成を示した回路ブロック図である。入力画像処理部２１−５は、実施例２に係る入力画像処理部２１−２の構成と比べると、ＡＣＳを持たず、カラー画像補正部から出力されるＲＧＢ信号とモノクロ画像補正部から出力されるＫ信号とをＫ版情報付加によりＲＧＢＫ信号として出力させる点で相違する。
【００６９】
実施例６の画像処理装置によれば、カラー画像のＲＧＢ版情報とモノクロ画像のＫ版情報との４色分の画像データを１ファイルで管理することが可能となり、４色分の画像データで１画素情報を表現するためにカラー画像の画素順次画像で画素データの転送処理のアクセス効率が向上すると同時にモノクロ専用の画像情報を保持するためにモノクロ画像の印刷出力の品質向上も可能となる。
【００７０】
上述した実施例６の画像処理装置の技術は、上述した実施例３に係る読み取り画像処理方法において、入力画像処理では、画像編集時に画素毎の読み取り画像データから１画素データとして、ＲＧＢ版情報のビット数にＫ版情報のビット数を加えることによりＫ版情報を付加して画素順次画像に変換する旨として換言することができる。
【符号の説明】
【００７１】
１０  画像入出力制御部
１１  読取制御部
１２  エンジンＣＰＵ
１３、２７  ＮＶＲＡＭ
１４、２９  ＲＯＭ
１５、２８  ＲＡＭ
１６  出力制御部
１７、３１  通信Ｉ／Ｆ
２０  画像処理部
２１、２１−１〜２１−５  入力画像処理部
２２  コントローラＣＰＵ
２３  操作部Ｉ／Ｆ
２６  ネットワークＩ／Ｆ
３０  出力画像処理部
３１  ベーン底
３２  操作パネル
３３  画像読取装置
３４  画像出力装置
２０１  コンタクトガラス
２０２  圧板
２０３  ハロゲンランプ
２０４、２０６、２０７  ミラー
２０８  スキャナ
２０９  フィルタ
２１０  レンズ
２１２  ＣＣＤ
２１３  画像読取部
２１４  スキャナ基板
２１５  シェーディング板（白基準板）
２１６、２１７  冷却ファン
２１８  結露防止ヒータ
２１９  原稿サイズ検知器
３１１  セラミックパッケージ
３１２、３１２'  ラインセンサユニット
３１３  ガラス板
【先行技術文献】
【特許文献】
【００７２】
【特許文献１】特開２００１−１４４９００号公報
【特許文献２】特開２００１−６１０７０号公報
【図１】
0005772182.tif 000002
【図２】
0005772182.tif 000003
【図３】
0005772182.tif 000004
【図４】
0005772182.tif 000005
【図５】
0005772182.tif 000006
【図６】
0005772182.tif 000007
【図７】
0005772182.tif 000008
【図８】
0005772182.tif 000009
【図９】
0005772182.tif 000010
【図１０】
0005772182.tif 000011
【図１１】
0005772182.tif 000012
【図１２】
0005772182.tif 000013
【図１３】
0005772182.tif 000014
【図１４】
0005772182.tif 000015
【図１５】
0005772182.tif 000016
【図１６】
0005772182.tif 000017
【図１７】
0005772182.tif 000018
【図１８】
0005772182.tif 000019
【図１９】
0005772182.tif 000020
【図２０】
0005772182.tif 000021
【図２１】
0005772182.tif 000022
【図２２】
0005772182.tif 000023
【図２３】
0005772182.tif 000024
【図２４】
0005772182.tif 000025
【図２５】
0005772182.tif 000026